(57)【要約】【課題】  折りたたんだ状態で、保持している記録媒体を一覧することができる、ディスク型記録媒体保持用台紙を提供する。【解決手段】  ディスク型記録媒体９１から９４を保持するための記録媒体保持部１１、１３には、ディスク型記録媒体を保持するための切り込み４１、４２が、保持する記録媒体の枚数に対応して設けられる。複数の記録媒体保持部の間に存在する折り返し部２１は、当該折り返し部２１より相対的に下側に重なる記録媒体保持部１１との間ではその間にある折り目部３１を谷折りされ、当該折り返し部２１より相対的に上側に重なる記録媒体保持部１３との間ではその間にある前記折り目部３２を山折りされる。また、折り目部３２での山折り位置は、相対的に下側に位置する記録媒体保持部１１に保持される記録媒体９１，９２の一部が上部から見える状態となる位置とする。【選択図】図３
2006176189.tif 000002
【特許請求の範囲】
【請求項１】
ディスク型記録媒体を保持する台紙において、
ディスク型記録媒体を保持するための複数の記録媒体保持部と、
前記複数の記録媒体保持部の間に存在する折り返し部と、
前記記録媒体保持部と折り返し部との境界に設けられる複数の折り目部とを有し、
前記記録媒体保持部は、ディスク型記録媒体を保持するための切り込みが、保持する記録媒体の枚数に対応して設けられ、
前記折り返し部は、当該折り返し部より相対的に下側に重なる記録媒体保持部との間ではその間にある前記折り目部を谷折りされ、当該折り返し部より相対的に上側に重なる記録媒体保持部との間ではその間にある前記折り目部を山折りされ、かつ、前記折り目部での山折り位置は、相対的に下側に位置する記録媒体保持部に保持される記録媒体の一部が上部から見える状態となる位置であること、を特徴とする、ディスク型記録媒体保持用台紙。
【請求項２】
請求項１に記載のディスク型記録媒体保持用台紙において、
前記折り返し部を、当該折り返し部より相対的に下側に重なる記録媒体保持部との間ではその間にある前記折り目部を谷折りし、当該折り返し部より相対的に上側に重なる記録媒体保持部との間ではその間にある前記折り目部を山折して、全体を折りたたんだ状態での外形寸法が日本工業規格Ａ列４番の縦横の寸法に収まることを特徴とするディスク型記録媒体保持用台紙。
【発明の詳細な説明】
【技術分野】
【０００１】
本発明は、ディスク型記録媒体保持用台紙に関するものである。
【背景技術】
【０００２】
コンピュータを購入した場合、また、アプリケーションソフトウェアを購入した場合、ソフトウェアを記録した記録媒体（例えばＣＤ−ＲＯＭ）が、取扱説明書と共に添付される。提供される記録媒体は１枚に限られず、４枚、６枚という場合も多い。最近、この種のディスク型記録媒体を保持する保持具として、これまで多く用いられてきたプラスチックケースに代えて、環境に優しいこと等の理由から、紙製の保持用台紙が用いられるようになってきている。
【０００３】
【特許文献１】特開平１０−７２０７７号公報
【特許文献２】特許３５１１０６４号公報
【特許文献３】特開２００４−３５０８９号公報
【発明の開示】
【発明が解決しようとする課題】
【０００４】
しかし、特許文献１に開示される形態は、１枚のディスクを保持するものであり、多数枚のディスクを保持しなければならない場合に、各ディスクがバラバラになることがあり、管理しにくいという問題がある。
【０００５】
一方、特許文献２および３に開示される形態は、ブック型の形態であり、複数枚を収容することが可能である。しかし、いずれも、構造が複雑であるため、生産原価が高くなるという問題が生じる。また、いずれも、保持している記録媒体にどのようなものがあるかを知るためには、ブック型の台紙を開く必要がある。
【０００６】
本発明の目的は、複数枚のディスク型記録媒体を保持することができ、かつ、折りたたんだ状態で、保持している記録媒体を一覧することができる、ディスク型記録媒体保持用台紙を提供することにある。
【課題を解決するための手段】
【０００７】
本発明に係る第１の態様によれば、
ディスク型記録媒体を保持する台紙において、
ディスク型記録媒体を保持するための複数の記録媒体保持部と、
前記複数の記録媒体保持部の間に存在する折り返し部と、
前記記録媒体保持部と折り返し部との境界に設けられる複数の折り目部とを有し、
前記記録媒体保持部は、ディスク型記録媒体を保持するための切り込みが、保持する記録媒体の枚数に対応して設けられ、
前記折り返し部は、当該折り返し部より相対的に下側に重なる記録媒体保持部との間ではその間にある前記折り目部を谷折りされ、当該折り返し部より相対的に上側に重なる記録媒体保持部との間ではその間にある前記折り目部を山折りされ、かつ、前記折り目部での山折り位置は、相対的に下側に位置する記録媒体保持部に保持される記録媒体の一部が上部から見える状態となる位置であること、を特徴とする、ディスク型記録媒体保持用台紙が提供される。
【０００８】
また、折り返し部は、当該折り返し部より相対的に下側に重なる記録媒体保持部との間ではその間にある前記折り目部を谷折りし、当該折り返し部より相対的に上側に重なる記録媒体保持部との間ではその間にある前記折り目部を山折して、全体を折りたたんだ状態での外形寸法が日本工業規格Ａ列４番の縦横の寸法に収まる構成とすることが好ましい。
【発明を実施するための最良の形態】
【０００９】
以下、本発明の実施形態について、図面を参照して説明する。しかしながら、本発明は、以下の実施の形態に限定されるものではない。その要旨の範囲内で、種々変形して実施することができることはいうまでもない。
【００１０】
図１は、本発明の一実施形態に係るディスク型記録媒体保持用台紙の一例を示す。図２は、それに、記録媒体としてＣＤ−ＲＯＭを保持させた状態を示す。
【００１１】
本実施形態のディスク型記録媒体保持用台紙は、記録媒体保持部１１および１３と、記録媒体保持部１１および１３の間に存在する折り返し部２１と、記録媒体保持部１１および１３と折り返し部２１との境界に設けられる折り目部３１および３２とを有する。この台紙は、本実施形態では、１枚の紙で形成される。これにより、環境に優しい製品といえる。また、台紙には、必要に応じて、印刷を施してもよい。例えば、記録媒体が、コンピュータにインストールするプログラムを記録した記録媒体である場合、インストール方法を示す説明を前記台紙に印刷することが考えられる。この場合、記録媒体の保持位置と、使用する記録媒体の使用順とを合わせておき、インストール方法を示す前記説明も、用いる記録媒体の保持位置近傍に行うこととする。これにより、インストール手順を分かりやすく示すことを技術的に可能とすることができる。
【００１２】
記録媒体保持部は、この例では、１１および１３の２箇所である。しかし、本発明はこれに限定されない。後述するように、３箇所以上であっても差し支えない。もちろん、複数箇所用意しておき、そのうちのいくつかについてのみ、記録媒体の保持に使う構成とすることもできる。このようにすることにより、用意する台紙の形式を統一して、製作する種類を減して、コストダウンを図ることができる。
【００１３】
記録媒体保持部１１、１３には、それぞれ、ディスク型記録媒体を保持するための切り込み４１および４２が、保持する記録媒体の枚数に対応して設けられる。切り込み４１および４２は一対で一枚のディスク型記録媒体を保持する。本実施形態では、記録媒体保持部１１、１３のそれぞれに、二対設けられている。すなわち、各記録保持部１１，１３において、２枚ずつ記録媒体を保持できることになる。
【００１４】
図２に、記録媒体９１から９４の４枚が保持されている状態を示す。図２に示すように、各記録媒体９１から９４は、それぞれ、外縁の一部を切り込み４１および４２に差し込むことにより、記録媒体保持１１および１３において、それぞれ保持される。このとき、保持される記録媒体の種類等を認識しやすくするために、記録媒体９１から９４を、各記録媒体のラベル面が上面、すなわち、図２で見える面となるように、切り込み４１，４２に差し込む。図２に示すように、記録媒体保持部１１，１３は、いずれも、その長手方向の長さは、少なくも記録媒体の直径より大きい長さを持つものである。一方、それと直交する方向の長さは、記録媒体を２枚分収容できる大きさを持つ。ただし、収納のしやすさから、本実施形態では、後述する図４に示すように、折り畳んだ状態で、全体の平面形状が日本工業規格のＡ列４番の寸法に収まるように、寸法が決められている。
【００１５】
本実施形態においては、記録媒体保持部１３の先端側は、角を落とした傾斜部１３ａ、１３ａが設けられている。これらの傾斜部１３ａ、１３ａは、後述する図４に示すファイル６０に収容する際に、差し込みが容易になるように設けてある。従って、これらの傾斜部を省略してもよい。また、曲線部としてもよい。
【００１６】
折り返し部２１は、前述した記録媒体保持部１１と１３との間に位置する。記録媒体保持部１１と折り返し部２１との境界に折り目部３１が設けられる。一方、記録媒体保持部１３と折り返し部２１との境界に折り目部３２が設けられる。ここで、折り目部３１は谷折り、折り目部３２は山折りとなるように折り目が設けられる。ただし、図１において、折り目部３１を山折り、折り目部３２を谷折りとしてもよいことはいうまでもない。これらの折り目部３１，３２は、それぞれ用紙をプレス等により折り目加工することで形成することができる。また、折った時山側となる面に浅い切り溝を設けることとしてもよい。
【００１７】
折り返し部２１と折り目部３１および３２とが果たす第１の機能は、記録媒体保持部１１の上面側に、記録媒体保持部１３を、それらの面を同じ向きで重ねるために、折り返しを行うことにある。このため、図３に示すように、折り目部３１により、折り返し部２１を、その上面が記録媒体保持部３１の上面と対向するように谷折りして折り畳む。また、折り目部３２により、折り返し部２１を、記録媒体保持部１３の下面側が折り返し部２１の下面側と対向するように山折りして折り畳む。この結果、図４に示すように、記録媒体保持部１３が記録媒体保持部１１の一部に、それらの面が同じ向きで重なった状態で折り畳まれる。
【００１８】
折り返し部２１と折り目部３１および３２とが果たす第２の機能は、折り目部３１および３２において、谷折りおよび山折りを行って、全体を折り畳んだ場合に、相対的に上面側となる記録媒体保持部１３の折り目部３２での折り返し位置を、相対的に下側に位置する記録媒体保持部１１に保持される記録媒体９１，９２のそれぞれの一部が上方から見える状態となる位置とすることにある。
【００１９】
また、本実施の形態においては、全体を前述したように折りたたんだ状態での外形寸法が、日本工業規格Ａ列４番の縦横の寸法に収まる長さとなるよう、折りたたみ部の長さおよび折り返し位置が決められている。このように、折り畳んだ時の外形寸法をＡ４サイズとすることにより、事務用紙の標準であるＡ４に合わせることができる。その結果、例えば、取扱説明書などと共に、同じファイルに収容する際に、寸法を揃えることが容易となる。
【００２０】
このような構造とすることにより、台紙の各切り込み４１，４２に、それぞれ記録媒体９１から９４を差し込む。図２に、記録媒体を差し込んだ台紙の開いた状態を示す。この台紙は、図３に示すように、折り目部３１における谷折り、および、折り目部３２における山折りを行うことにより折り畳まれる。その結果、図４に示すように、４枚のディスク型記録媒体が差し込まれた状態の台紙が、折り畳まれた状態となる。この状態では、各ディスクの少なくとも一部が上面側から一覧できる状態となる。従って、台紙を折り畳んだ状態のまま、収容されているディスクが何であるかを知ることが可能となる。
【００２１】
図４に、この台紙を収容するためのファイルを示す。ファイル６０は、台紙部分６１と、背表紙部分６３と表紙部分６２とを有する。台紙部分６３には、前述した台紙を収容するポケット６４が設けられている。台紙は、折り畳んだ状態では、前述したように、Ａ４サイズとなるため、ポケット６４がついたファイル６０に収納することができる。
【００２２】
次に、本発明の第２の実施形態について、図面を参照して説明する。本実施形態は、図５から図７に示すように、記録媒体９１−９６の記録媒体６枚収容できるものである。
【００２３】
本実施形態のディスク型記録媒体保持用台紙は、記録媒体保持部１１、１２および１３と、記録媒体保持部１１および１２の間に存在する折り返し部２１と、記録媒体保持部１２と１３の間に存在する折り返し部２２と、記録媒体保持部１１および１２と折り返し部２１との境界に設けられる折り目部３１および３２と、記録媒体保持部１２および１３と折り返し部２２との境界に設けられる折り目部３３および３４と、を有する。この台紙は、本実施形態では、１枚の紙で形成される。これにより、環境に優しい製品といえる。また、必要に応じて、この台紙は、その上に印刷することができる点については前述した第１の実施形態と同じである。
【００２４】
記録媒体保持部は、この例では、１１、１２および１３の３箇所である。しかし、本発明はこれに限定されない。記録媒体保持部１１、１２および１３には、それぞれ、ディスク型記録媒体を保持するための切り込み４１および４２が、保持する記録媒体の枚数に対応して設けられる。切り込み４１および４２は一対で一枚のディスク型記録媒体を保持する。本実施形態では、記録媒体保持部１１、１２および１３のそれぞれに、二対設けられている。すなわち、各記録保持部１１，１２および１３において、２枚ずつの記録媒体を保持できることになる。
【００２５】
図６に、記録媒体９１から９６の６枚が保持されている状態を示す。図６に示すように、各記録媒体９１から９６は、それぞれ、外縁の一部を切り込み４１および４２に差し込むことにより、記録媒体保持１１、１２および１３において、それぞれ保持される。このとき、保持されている記録媒体の種類等を認識しやすくするために、記録媒体９１から９６は、各記録媒体のラベル面が上面、すなわち、図６で見える面となるように、切り込み４１，４２に差し込む。図２に示すように、記録媒体保持部１１、１２および１３は、いずれも、その長手方向の長さは、少なくも記録媒体の直径より大きい長さを持つものである。一方、それと直交する方向の長さは、記録媒体を２枚分収容できる大きさを持つ。ただし、本実施形態においては、後述する図７に示すように、折り畳んだ状態で、全体の平面形状が日本工業規格のＡ列４番の寸法に収まるように、寸法が決められる。
【００２６】
本実施形態においては、記録媒体保持部１３の先端側は、角を落とした傾斜部１３ａ、１３ａが設けられている。これらの傾斜部１３ａ、１３ａは、後述する図７に示すファイル６０に収容する際に、差し込みが容易になるように設けてある。これら傾斜部を省略してもよい。また、曲線部としてもよい。
【００２７】
折り返し部２１は、前述した記録媒体保持部１１と１２との間に位置する。記録媒体保持部１１と折り返し部２１との境界に折り目部３１が設けられる。一方、記録媒体保持部１２と折り返し部２１との境界に折り目部３２が設けられる。また、折り返し部２２は、前述した記録媒体保持部１２と１３との間に位置する。記録媒体保持部１２と折り返し部２２との境界に折り目部３３が設けられる。一方、記録媒体保持部１３と折り返し部２２との境界に折り目部３４が設けられる。図６に示すように、折り目部３１および３３は谷折り、折り目部３２および３４は山折りとなるように折り目が設けられる。これらの折り目部３１、３２、３３および３４は、それぞれ用紙をプレス等により折り目加工することで形成することができる。また、折った時山側となる面に浅い切り溝を設けることとしてもよい。
【００２８】
折り返し部２１および２２と、折り目部３１、３２、３３および３４とが果たす第１の機能は、記録媒体保持部１１の上面側に、記録媒体保持部１２、１３を、それらの面を同じ向きで重ねるために、折り返しを行うことにある。このため、図６に示すように、折り目部３１により、折り返し部２１を、その上面が記録媒体保持部１１の上面と対向するように谷折りして折り畳む。また、折り目部３２により、折り返し部２１を、記録媒体保持部１２の下面側が折り返し部２１の下面側と対向するように山折りして折り畳む。同様にして、折り返し部２２を、記録媒体保持部１２の上に重なるように折り畳む。この結果、図７に示すように、記録媒体保持部１３が記録媒体保持部１２の一部に、記録媒体保持部１２が記録媒体保持部１１の一部に、それぞれの面が同じ向きで重なった状態で折り畳まれる。
【００２９】
折り返し部２１および２２と折り目部３１、３２、３３および３４とが果たす第２の機能は、前述したように、折り返し部２１、２２を介して折り畳まれた記録媒体保持部１１、１２および１３が、それらに保持される記録媒体９１から９６について、それぞれの一部を、用紙を畳んだままで見ることができるようにすることにある。また、本実施の形態では、全体を前述したように折りたたんだ状態での外形寸法が、日本工業規格Ａ列４番の縦横の寸法に収まる長さとなるよう、折りたたみ部の長さおよび折り返し位置が決められている。このように、折り畳んだ時の外形寸法をＡ４番サイズとすることにより、事務用紙の標準であるＡ４に併せることができる。その結果、例えば、取扱説明書などと共に、同じファイルに収容する際に、寸法を揃えることが容易となる。
【００３０】
このような構造とすることにより、台紙の各切り込み４１，４２に、それぞれ記録媒体９１から９６を差し込む。図６に、記録媒体を差し込んだ台紙を示す。この台紙は、折り目部３１、３３における谷折り、および、折り目部３２、３４における山折りを行うことにより折り畳まれる。その結果、図７に示すように、６枚のディスク型記録媒体が差し込まれた状態の台紙が、折り畳まれた状態となる。この状態では、各ディスクの少なくとも一部が上面側から一覧できる状態となる。従って、台紙を折り畳んだ状態のまま、収容されているディスクが何であるかを知ることが可能となる。
【００３１】
なお、前記二つの実施形態においては、一例として、記録媒体保持部に保持される記録媒体の枚数を２枚とした。しかし、本発明は、このような実施の形態に限定されるものではない。つまり、記録媒体保持部に保持される記録媒体の枚数は、例えば、１枚であってもよく、３枚であってもよい。記録媒体の保持枚数は、記録媒体保持部の大きさや用途（必要とされる記録媒体の枚数）によって適宜選択することができる。
【００３２】
また、前記二つの実施形態においては、収納のしやすさを考慮して、台紙を折り畳んだ状態での外形寸法をＡ４番サイズとした。しかし、本発明はこのような実施の形態に限定されるものではない。つまり、前記外形寸法は、使用される用途によって適宜選択されるものであり、例えば、前記外形寸法は、Ｂ５番サイズ、Ｂ４番サイズ、Ａ３番サイズ等としてもよい。また、輸出されて海外で使用されることを考慮して、レターサイズ（横２１６ｍｍ、縦２８０ｍｍ）等としてもよい。
【００３３】
さらに、前記二つの実施の形態においては、記録媒体保持部を二つまたは三つ有する台紙の例を示した。しかし、本発明はこのような実施の形態に限定されるものではない。つまり、台紙に設ける記録媒体保持部の数は、用途に応じて適宜選択することができる。
【００３４】
以上に述べたように、本願発明は、簡単な構造で、しかも、コンパクトで、より多くのディスク型記録媒体を収容できる。また、収容されているすべてのディスク型記録媒体について、それらのラベルの一部を見ることができるので、何が収容されているか一覧可能である。さらに、事務書類の規格に合わせた収納が可能となる。
【図面の簡単な説明】
【００３５】
【図１】本発明の第１の実施形態に係る記録媒体保持用台紙の平面図。
【図２】本発明の第１の実施形態に係る記録媒体保持用台紙に記録媒体を装着した状態を示す平面図。
【図３】本発明の第１の実施形態に係る記録媒体用持台紙折り畳む状態を示す斜視図。
【図４】本発明の第１の実施形態に係る記録場射た保持用台紙をファイルに収容する状態を示す説明図。
【図５】本発明の第２の実施形態に係る記録媒体保持用台紙の平面図。
【図６】本発明の第２の実施形態に係る記録媒体用持台紙折り畳む状態を示す斜視図。
【図７】本発明の第２の実施形態に係る記録場射た保持用台紙をファイルに収容する状態を示す説明図。
【符号の説明】
【００３６】
１１、１２、１３…記録媒体保持部、２１、２２…折り返し部、３１、３２、３３、３４…折り目部、４１、４２…切り込み、６０…ファイル、９１、９２、９３、９４、９５、９６…ディスク型記録媒体。
【図１】
2006176189.tif 000003
【図２】
2006176189.tif 000004
【図３】
2006176189.tif 000005
【図４】
2006176189.tif 000006
【図５】
2006176189.tif 000007
【図６】
2006176189.tif 000008
【図７】
2006176189.tif 000009